(57)【特許請求の範囲】
【請求項１】
排水が、下流側に位置する排水先に向けて流れる排水経路に設けられており、該排水が内空部を流れる管体部を有し、該管体部の上流側には上流側管部が接続された流入口が形成されてなり、下流側には下流側管部が接続された流出口が形成されており、さらに該流出口には、該下流側管部を介して排水が該管体部内へ逆流することを抑制する逆流抑制装置が配設されている逆流抑制装置付き排水構造であって、
前記逆流抑制装置の装置本体には、下端が前記下流側管部内に連通していると共に、上端が前記管体部内の前記流出口における該下流側管部の管頂より高い位置にある気相空間に連通している通気路を構成する通気用筒体部が設けられており、
さらに、該通気路には、前記排水先の水位が上昇して前記逆流抑制装置が逆流を抑制している状態で該下流側管部を介して流入した排水の水位変動に伴い上下動するフロート弁体が配置されてなり、
かつ、該通気用筒体部の上端部には、
前記フロート弁体と係止することにより該フロート弁体の上限位置を定める係止部と、
該フロート弁体が上限位置にあることを該通気用筒体部の外部から確認可能とする弁体位置確認手段と、
が設けられてなり、
該上限位置に該フロート弁体が位置した際に、前記下流側管部内と前記気相空間との間の通気が遮断されてなると共に該通気用筒体部内の排水が該気相空間へ流入することが阻止されてなることを特徴とする逆流抑制装置付き排水構造。
【発明の詳細な説明】
【技術分野】
【０００１】
本発明は、一般家庭にあるトイレ等の衛生器具や浄化槽などを含む排水設備から排出される排水、及び雨水又は雑排水からなる排水の排水経路に設けられる逆流抑制装置付き排水構造に関するものである。
【背景技術】
【０００２】
例えばトイレ等の衛生器具や浄化槽などを含む排水設備から排出される排水の排水経路においては、上流側への逆流を防止するための逆流防止手段を備えるますが排水設備と排水先との間に設置されていることが一般的である（例えば、特許文献１参照）。このような構成とすることにより、排水先である側溝、河川、下水本管等の水位が集中豪雨等により上昇して該排水経路を排水が逆流してきた場合でも、該逆流防止手段がその排水を遮断することで該排水が排水設備に到達してしまうことを防止することができる。
【先行技術文献】
【特許文献】
【０００３】
【特許文献１】特開２０１０−１２６８８８号公報
【発明の概要】
【発明が解決しようとする課題】
【０００４】
しかしながら、上記したようなますを利用した従来構成は、ますの点検口を介して当該ます内の水位状況は確認できるものの、排水先である例えば側溝、河川、下水本管等の水位状況は全く把握することができない。このため、前記逆流防止手段の機能によります内の水位はそれ程上昇していないが、実は集中豪雨等で排水先の水位が上昇し、該ますの下流側は排水で満たされていて当該排水経路の排水量に限界が生じていることがある。このため、ますを点検した作業者が、排水先の増水が危険域であるのにも関わらず、当該ますの水位が安全域であるがために排水設備からの排水量をすぐに抑えるなどの対策を適切に行えないおそれがあった。また、排水先の実際の水位状況を確認すべく、わざわざ豪雨の中を排水先まで確認しに行って、増水した排水先で水難事故に遭ってしまうおそれもあった。
【０００５】
そこで本発明は、排水先に確認しに行くことなく、該排水先の水位状況を間接的に把握することができ、水害による被害を未然に防ぐことができる逆流抑制装置付き排水構造を提供することを目的とする。
【課題を解決するための手段】
【０００６】
本発明は、排水が、下流側に位置する排水先に向けて流れる排水経路に設けられており、該排水が内空部を流れる管体部を有し、該管体部の上流側には上流側管部が接続された流入口が形成されてなり、下流側には下流側管部が接続された流出口が形成されており、さらに該流出口には、該下流側管部を介して排水が該管体部内へ逆流することを抑制する逆流抑制装置が配設されている逆流抑制装置付き排水構造であって、前記逆流抑制装置の装置本体には、下端が前記下流側管部内に連通していると共に、上端が前記管体部内の前記流出口における該下流側管部の管頂より高い位置にある気相空間に連通している通気路を構成する通気用筒体部が設けられており、さらに、該通気路には、前記排水先の水位が上昇して前記逆流抑制装置が逆流を抑制している状態で該下流側管部を介して流入した排水の水位変動に伴い上下動するフロート弁体が配置されてなり、かつ、該通気用筒体部の上端部には、前記フロート弁体と係止することにより該フロート弁体の上限位置を定める係止部と、該フロート弁体が上限位置にあることを該通気用筒体部の外部から確認可能とする弁体位置確認手段と、が設けられてなり、該上限位置に該フロート弁体が位置した際に、前記下流側管部内と前記気相空間との間の通気が遮断されてなると共に該通気用筒体部内の排水が該気相空間へ流入することが阻止されてなることを特徴とする逆流抑制装置付き排水構造である。
【０００７】
かかる構成にあって、通常時は通気用筒体部の通気路によって管体部内の気相空間と下流側管部とが連通しているため、本発明にかかる排水経路において管体部を基準に上流側と下流側とで適切に通気が確保される。また、豪雨等で排水先の水位が上昇した場合、排水先から逆流する排水が前記下流側管部内に到達する場合があるが、このような非常時であっても前記逆流抑制装置によって管体部内への排水の流入を適切に抑制することができる。
【０００８】
さらに、上記のように該下流側管部内に排水が到達したとき、通気用筒体部内に排水が浸入してくるが、該通気用筒体部内のフロート弁体が該排水により浮遊し、該フロート弁体が上限位置に位置することで該排水の管体部内への流入を阻止することができる。また、上限位置に位置するフロート弁体を作業者が前記弁体位置確認手段を介して確認することにより、作業者は該フロート弁体の位置に基づいて排水先の水位が通常時に比して上昇していることを間接的に把握することが可能となる。これにより、排水先に出向くことなく、事前に水害への対応を迅速かつ適切にとることができる。また、該フロート弁体が水位上昇に伴い上限位置に達しているという状況から、前記逆流抑制装置が確実に機能して下流側管部内の排水が適切に堰き止められていることも確認することができる。
【０００９】
また、前記弁体位置確認手段は、前記通気用筒体部の上端部に設けられた、前記係止部により係止された状態のフロート弁体を視認可能とする透明部により構成されていてもよい。
【００１０】
かかる構成とすることにより、作業者は、透明部を介して、上限位置に位置するフロート弁体を容易に確認することが可能となる。
【００１１】
また、前記弁体位置確認手段は、前記通気用筒体部に設けられた、下限位置から上限位置までの範囲で上下動するフロート弁体を視認可能とする透明部により構成されていてもよい。
【００１２】
かかる構成とすることにより、作業者は、透明部を介して、時間経過に伴うフロート弁体の位置の変化を確実に把握することが可能となる。
【００１３】
また、前記弁体位置確認手段は、前記通気用筒体部の上端部に可動自在に設けられた、可動フラグにより構成されており、該可動フラグは、該フロート弁体と接触しない通常位置と、前記係止部により係止されたフロート弁体と接触して通常位置から押し上げられたときの非常位置とに選択的に位置変換可能とされていてもよい。
【００１４】
かかる構成とすることにより、作業者にとって視認し易い形態で弁体位置確認手段を構成することが可能となる。
【発明の効果】
【００１５】
本発明にかかる逆流抑制装置付き排水構造は、排水先の水位状況を間接的に把握することができ、水害への対応を迅速かつ安全に行うことができる効果がある。
【図面の簡単な説明】
【００１６】
【図１】（ａ）は排水構造の概要を示す側断面図であり、（ｂ）は平面図である。
【図２】（ａ）は通常時の通気用筒体部内を示す側断面図であり、（ｂ）は非常時の通気用筒体部内を示す側断面図である。
【図３】実施例２に係る排水構造の通気用筒体部を示す側断面図である。
【図４】実施例３に係る排水構造の通気用筒体部を示す側断面図である。
【図５】実施例４に係る排水構造の通気用筒体部を示す側断面図である。
【図６】実施例５に係る排水構造の継手を示す側断面図である。
【発明を実施するための形態】
【００１７】
以下、本発明の逆流抑制装置付きの排水構造（以下、適宜、排水構造という。）を具体化した実施例を詳細に説明する。
【００１８】
〔実施例１〕
図１に示すように、浄化槽２１から排出された排水を側溝２２に放出する排水経路Ｘにかかる排水構造５０Ａは、管体部としての逆流防止ます１を備えている。
【００１９】
前記逆流防止ます１は、流入口３と流出口４とを備えたます本体部２を備えている。該流入口３には、一端が浄化槽２１に接続された上流側管部１３の他端が接続されている。また、前記流出口４には、一端が側溝２２に接続された下流側管部１４の他端が接続されている。
【００２０】
また、前記ます本体部２の下部には泥溜め部５が配設されている。これにより、前記流入口３を介して該ます本体部２の内空部に流入した浄化槽２１からの排水が、該泥溜め部５内に一定量貯留可能とされている。さらに、該ます本体部２の上端には点検口６が形成され、該点検口６が蓋８によって遮蔽されている。なお、前記点検口６には、立ち上がり管が接続されていてもよい。
【００２１】
さらに、該ます本体部２内であって前記流出口４の周縁には、逆流抑制装置としての逆流防止装置３０が脱着自在に取り付けられている。該逆流防止装置３０は、逆流防止装置本体３１を有し、該逆流防止装置本体３１の内部には弁体としての開閉蓋３２が上下方向に回動自在に配設されている。そして、該逆流防止装置３０が前記流出口４に装着された状態で前記開閉蓋３２が開閉することにより、ます本体部２内と下流側管部１４内とを開通させる開通状態と、該ます本体部２内と該下流側管部１４内とを遮断する閉塞状態とに、状態変換される。
【００２２】
かかる構成にあって、浄化槽２１から流出した排水は、上流側管部１３を通って流入口３からます本体部２内に流入し、泥溜め部５内に一定量貯留された後、逆流防止装置３０の開閉蓋３２を持ち上げて流出口４から下流側管部１４へ案内され、側溝２２へ放出される。
【００２３】
一方、側溝２２から逆流する排水は、下流側管部１４を通じて逆流防止装置３０に到達するが、閉塞状態の開閉蓋３２によってます本体部２内に流入してしまうことが阻止される。
【００２４】
また、図１，２に示すように、前記逆流防止装置本体３１の上部には、上方に向けて突出した通気用筒体部３３が形成されている。さらに詳述すると、該通気用筒体部３３は、直管形状の管体で構成されており、その下端３３Ａが該逆流防止装置本体３１の上部に接続され、上端３３Ｂが前記ます本体部２内であって前記流出口４における下流側管部１４の管頂より高い位置にある気相空間Ｙに配置されている。そして、該通気用筒体部３３の内部空間が、通気路３４とされている。すなわち、該通気路３４の一端は下流側管部１４内に連通し、他端は前記気相空間Ｙに連通している。
【００２５】
さらに、図１，２に示すように、前記通気路３４には、球状のフロート弁体４０が上下動自在に配置されている。また、前記通気用筒体部３３の下端部内周面には、透水自在にフロート弁体４０を支持する支持底部３３Ｃが設けられていると共に、該通気用筒体部３３の上端部内周面には、上側に向かって縮径するテーパー形状の係止部４２が形成されている。
【００２６】
上記構成にあって、通常時は、図２（ａ）に示すようにフロート弁体４０が前記支持底部３３Ｃに支持されており、通気路３４が開通状態となっている。このように逆流防止ます１に通気路３４が設けられることにより、前記排水経路Ｘにおいて上流側であるます本体部２内と、下流側である下流側管部１４内との間で好適に通気を確保することができる。このため、該ます本体部２の内圧が高くなってしまうことを抑制でき、該逆流防止装置３０の開閉蓋３２がます本体部２の内圧変動に伴って微動してしまうことがなくなり、不快な異音が発生したり、該逆流防止装置３０の止水効果が低下したりすることがない。
【００２７】
一方、集中豪雨等によって過剰な排水が側溝２２に集中し、下流側管部１４内を通じて排水が逆流し、上記逆流防止装置３０の開閉蓋３２が閉塞状態となっている場合、図２（ｂ）に示すように、該下流側管部１４内の排水が前記通気用筒体部３３に浸入してフロート弁体４０が浮遊し、さらに該通気用筒体部３３内の水位が上昇すると該フロート弁体４０の上面部が前記係止部４２に押し当てられる。そうすると、該フロート弁体４０によって通気用筒体部３３の上端３３Ｂに形成された開口３３Ｄが遮蔽され、上記気相空間Ｙと下流側管部１４内との間で通気が遮断されると共に、下流側管部１４内の排水が気相空間Ｙに流入してしまうことが阻止される。
【００２８】
ここで、前記係止部４２に係止されたフロート弁体４０の上面部は、該通気用筒体部３３の前記開口３３Ｄから一部突出することにより、前記逆流防止ます１の点検口６を介して作業者が視認することができる。すなわち、該係止部４２は、フロート弁体４０に対応する弁座としての機能を果たすと共に、該フロート弁体４０の上限位置を定める役割を果たしている。なお、フロート弁体４０の上面部のみが露出するように寸法設定された前記通気用筒体部３３の開口３３Ｄにより、本発明に係る弁体位置確認手段が構成される。
【００２９】
上記構成は、上限位置にあるフロート弁体４０が作業者に視認可能であるため、作業者は該フロート弁体４０を視認することにより側溝２２の水位が通常時に比して上昇していることを間接的に把握することが可能となる。これにより、排水先である側溝２２へ直接行かなくても、側溝２２が増水して当該排水経路Ｘの排水量が限界であることを認識することができ、浄化槽２１からの排水量を抑えるなどの水害への対応を迅速にとることができる。
【００３０】
〔実施例２〕
以下、実施例２の排水構造５０Ｂを説明するが、実施例１の排水構造５０Ａと共通する部分については、説明を簡略又は省略する。
【００３１】
図３に示すように、通気用筒体部３３の上端部に対応する側壁には、前記係止部４２により係止された状態のフロート弁体４０を外部から視認可能とする透明部５１が設けられている。かかる構成とすることにより、作業者は、該透明部５１を介して、上限位置に位置するフロート弁体４０を容易に目視することが可能となる。なお、該透明部５１により、本発明に係る弁体位置確認手段が構成される。
【００３２】
〔実施例３〕
以下、実施例３の排水構造５０Ｃを説明するが、実施例１，２の排水構造５０Ａ，５０Ｂと共通する部分については、説明を簡略又は省略する。
【００３３】
図４に示すように、通気用筒体部３３の側壁には、下限位置から上限位置までの範囲においてフロート弁体４０を視認可能とする透明部５１が設けられている。さらに、該透明部５１の表面には、作業者が視認可能できる水位標識５３が付されている。かかる構成とすることにより、作業者は、該透明部５１を介して、フロート弁体４０の時間経過に伴う位置変化を確実に把握することが可能となる。また、水位標識５３により、正確な水位の状況把握が可能となる。なお、該水位標識５３を確認する際に、長い柄のついた鏡を点検口６から挿入して水位標識５３を映し出すようにしてもよい。前記透明部５１により、本発明に係る弁体位置確認手段が構成される。
【００３４】
〔実施例４〕
以下、実施例４の排水構造５０Ｄを説明するが、実施例１〜３の排水構造５０Ａ〜５０Ｃと共通する部分については、説明を簡略又は省略する。
【００３５】
図５に示すように、通気用筒体部３３には、可動フラグ６０が取り付けられている。さらに詳述すると、該可動フラグ６０は、該通気用筒体部３３の上端３３Ｂに形成された開口３３Ｄに挿通された軸部６１と、該軸部６１の上端部に取り付けられたフラグ部６２と、該開口３３Ｄよりも上側で軸部６１に配設される上側ストッパ部６３と、該開口３３Ｄよりも下側で軸部６１に配設される下側ストッパ部６４とで構成されている。
【００３６】
前記上側ストッパ部６３と前記下側ストッパ部６４は、前記開口３３Ｄの口径よりも径大となっており、通常時は、図５ａに示すように、上側ストッパ部６３が前記開口３３Ｄの周縁部に係止されてフラグ部６２が通常位置に配されている。このとき、通気路３４は、開通状態となっている。
【００３７】
一方、排水が逆流して通気用筒体部３３内の水位が上昇するような非常時は、図５ｂに示すように、前記軸部６１の下端が、フロート弁体４０により押し上げられ、作業者にとって目印となるフラグ部６２が通常位置に比して相対的に高い非常位置に配される。このとき、通気路３４は、下側ストッパ部６４が開口３３Ｄを塞ぐことで閉鎖状態となる。
【００３８】
かかる構成とすることにより、作業者は、フロート弁体４０の位置により、側溝２２の状況を容易に把握することが可能となる。なお、前記可動フラグ６０により、本発明に係る弁体位置確認手段が構成される。
【００３９】
〔実施例５〕
以下、実施例５の排水構造５０Ｅを説明するが、実施例１〜４の排水構造５０Ａ〜５０Ｄと共通する部分については、説明を簡略又は省略する。
【００４０】
図６に示すように、管体部として、逆流防止ます１に代えて継手７５が採用されてもよい。また、逆流抑制装置として、逆流防止装置３０に代えてオリフィス装置７０が採用されてもよい。かかる構成にあって、例えば下流側管部１４を通じて排水が逆流した場合、該オリフィス装置７０により該継手７５内に流入する排水の量を可及的に抑制することができる。そして、オリフィス装置７０により逆流を抑制された排水が、装置本体７１の上部に設けられた通気用筒体部３３内に浸入し、フロート弁体４０が浮遊することとなる。
【００４１】
本発明は、上記実施例に限定されず、本発明の主旨を逸脱しない範囲で適宜設計変更可能である。例えば、排水先としては、側溝２２に限定されることはなく、下水本管、雨水本管、水路、河川、池等であってもよい。また、浄化槽２１は他の排水設備でもよく、トイレ等の衛生器具であってもよい。また、上記弁体位置確認手段は、作業者がフロート弁体４０の位置を確認できる構成であれば適宜採用可能である。
【符号の説明】
【００４２】
１                逆流防止ます（管体部）
３                流入口
４                流出口
１３            上流側管部
１４            下流側管部
３０            逆流防止装置（逆流抑制装置）
３１            装置本体
３３            通気用筒体部
３３Ｄ          開口（弁体位置確認手段）
３４            通気路
４０            フロート弁体
４２            係止部
５０Ａ〜５０Ｅ  逆流抑制装置付き排水構造
５１            透明部（弁体位置確認手段）
６０            可動フラグ（弁体位置確認手段）
７０            オリフィス装置（逆流抑制装置）
７１            装置本体
７５            継手（管体部）
Ｘ              排水経路
Ｙ              気相空間
【図１】
0005871722.tif 000002
【図２】
0005871722.tif 000003
【図３】
0005871722.tif 000004
【図４】
0005871722.tif 000005
【図５】
0005871722.tif 000006
【図６】
0005871722.tif 000007